(57)【要約】【課題】建築家、設備家、構造家、施工家により、デザイン、設備、耐久性、全体のバランス等の観点から適切な建築プランを実現できる建築システムを提供する。【解決手段】本発明に係る建築システムは、まず、クライアントが希望プランを作成し、サーバ１に送信する。サーバ１は、受信した希望プランを建築家の端末３に送信し、建築家は、希望プランに基づいて建築プランを作成し、この建築プランをサーバ１に送信する。サーバ１は、希望プラン、建築プランを設備家の端末４に送信し、設備家は、希望プラン、建築プランに基づいて設備設計を行い、その設備設計データをサーバ１に送信する。サーバ１は、希望プラン、建築プラン、設備設計データを構造家の端末５に送信し、構造家は、希望プラン、建築プラン、設備設計データに基づいて構造設計を行い、その構造設計データをサーバ１に送信する。施工家は、希望プラン、建築プラン、設備設計データ、構造設計データをチェックする。【選択図】図１
2004246547.tif 000002
【特許請求の範囲】
【請求項１】
クライアントの建物の建築依頼に応じて当該クライアントに対して所定のサービスを実行する建築システムであって、
クライアントの建築の希望プラン情報に基づき建築家により作成された建築プラン情報を記憶する建築プラン記憶手段と、
設備設計データを記憶する設備設計情報記憶手段と、
前記希望プラン情報及び前記建築プラン情報を設備家の端末に対して送信するとともに、当該設備家の端末から送信された設備設計データを受信し、受信した前記設備設計データを前記希望プラン及び前記建築プラン情報と関連付けて前記設備設計情報記憶手段に記憶させる建築プラン処理手段と、
構造設計データを記憶する構造設計情報記憶手段とを備え、
前記建築プラン処理手段は、さらに少なくとも前記希望プラン情報、前記建築プラン情報を構造家の端末に対して送信するとともに、当該構造家の端末から送信された構造設計データを受信し、受信した前記構造設計データを前記希望プラン及び前記建築プランと関連付けて前記構造設計情報記憶手段に記憶させることを特徴とする建築システム。
【請求項２】
前記建築プラン処理手段は、前記希望プラン情報、前記建築プラン情報、前記設備設計データ、及び前記構造設計データを施工家の端末に対して送信するとともに、当該施工家の端末から送信された建築プラン情報に関するアドバイス情報を、さらに前記建築家の端末に対して送信することを特徴とする請求項１記載の建築システム。
【請求項３】
前記建築プラン処理手段は、前記建築プラン情報、前記設備設計データ、及び前記構造設計データを施工家の端末に対して送信するとともに、当該施工家の端末から送信された設備設計データに関するアドバイス情報を、さらに前記設備家の端末に対して送信することを特徴とする請求項２記載の建築システム。
【請求項４】
前記建築プラン処理手段は、前記建築プラン情報、前記設備設計データ、及び前記構造設計データを施工家の端末に対して送信するとともに、当該施工家の端末から送信された構造設計データに関するアドバイス情報を、さらに前記構造家の端末に対して送信することを特徴とする請求項２又は３に記載の建築システム。
【請求項５】
前記建築プラン記憶手段は、前記設備設計データ、前記構造設計データ、若しくは前記アドバイス情報に応じて順次修正された当該建築プラン情報をさらに記憶するとともに、
前記建築プラン記憶手段に記憶された建築プラン情報にアクセスするための建築プランアクセス情報を含む、当該建築プラン情報に関する修正履歴情報を記憶する建築プラン履歴情報記憶手段と、
前記建築プラン情報に関する修正履歴情報をクライアントの端末に送信する建築プラン履歴情報送信手段とをさらに備え、
前記建築プラン処理手段は、当該建築プランアクセス情報に基づき、クライアントの端末が当該建築プラン情報の要求を行った場合には、当該建築プラン情報をクライアントの端末に対して送信することを特徴とする請求項２乃至４いずれかに記載の建築システム。
【請求項６】
前記設備設計情報記憶手段は、前記構造設計データ、若しくは前記アドバイス情報に応じて順次修正された当該設備設計データをさらに記憶するとともに、
前記設備設計情報記憶手段に記憶された設備設計データにアクセスするための設備設計アクセス情報を含む、当該設備設計データに関する修正履歴情報を記憶する設備設計履歴情報記憶手段と、
前記設備設計データに関する修正履歴情報をクライアントの端末に送信する設備設計履歴情報送信手段とをさらに備え、
前記建築プラン処理手段は、当該設備設計アクセス情報に基づき、クライアントの端末が当該設備設計データの要求を行った場合には、当該設備設計データをクライアントの端末に対して送信することを特徴とする請求項５記載の建築システム。
【請求項７】
前記構造設計情報記憶手段は、前記アドバイス情報に応じて修正された当該構造設計データをさらに記憶するとともに、
前記構造設計情報記憶手段に記憶された構造設計データにアクセスするための構造設計アクセス情報を含む、当該構造設計データに関する修正履歴情報を記憶する構造設計履歴情報記憶手段と、
前記構造設計データに関する修正履歴情報をクライアントの端末に送信する構造設計履歴情報送信手段とをさらに備え、
前記建築プラン処理手段は、当該構造設計アクセス情報に基づき、クライアントの端末が当該構造設計データの要求を行った場合には、当該構造設計データをクライアントの端末に対して送信することを特徴とする請求項５又は６記載の建築システム。
【請求項８】
前記クライアントより建築資金に関する情報を取得する手段と、
前記クライアントより取得した建築資金情報を複数の金融機関に提示する手段と、
複数の金融機関より取得した資金プラン情報を前記クライアントに対して通信網を介して提示する手段と、
当該クライアントから送信された前記資金プラン情報の選択情報を受信する手段とを備えた請求項１乃至７いずれかに記載の建築システム。
【発明の詳細な説明】
【０００１】
【発明が属する技術分野】
本発明は、建築に関して用いられる建築システムに係り、特に、最適な建築プランを作成することができるものに関する。
【０００２】
【従来の技術】
住宅会社に対して家屋等の設計および建築を依頼する場合の一般的な例について説明する。まずクライアントは、住宅会社に、建築しようとする建物に対する希望を伝える。住宅会社の担当者は、クライアントと相談してクライアントの希望に基づいた建築プランを作成する。さらに住宅会社の担当者は、この建築プランに基づいた建築物の設計図と見積りの作成を建築家に依頼する。
【０００３】
建築家は、作成した建築物の設計図と見積りを住宅会社の担当者に渡す。住宅会社の担当者はこの建築物の設計図と見積りに基づいた建設を工務店に依頼し、工務店により建築物の建設が行われる。
【０００４】
【発明が解決しようとする課題】
しかしながら、このような従来の建築システムにおいては、住宅会社の担当者が作成した建築プランに基づいて、建築家が設計図と見積りを全て作成していた。このため、建築家が負う負担が大きいので、時間等の制限によってクライアントの要望の全てが実現化されなかったり、建築家の能力や性格等により建築プランの内容が偏ったものとなる場合が多かった。
【０００５】
また一方で、クライアントにとって高額な費用をかけて建築の依頼が行われていることから、建築物のデザインや耐久性、機能性等のバランスが取れたものが要求されていることも確認されてもいる。
【０００６】
本発明は、上記の点を考慮してなされたもので、その目的とするところは、建築家、設備家、構造家、施工家により、デザイン、設備、耐久性、全体のバランス等の観点から適切な建築プランを実現することができる建築システムを提供することにある。
【０００７】
【課題を解決するための手段】
上記の目的を達成するために、本発明は、
クライアントの建物の建築依頼に応じて当該クライアントに対して所定のサービスを実行する建築システムであって、
クライアントの建築の希望プラン情報に基づき建築家により作成された建築プラン情報を記憶する建築プラン記憶手段と、
設備設計データを記憶する設備設計情報記憶手段と、
前記希望プラン情報及び前記建築プラン情報を設備家の端末に対して送信するとともに、当該設備家の端末から送信された設備設計データを受信し、受信した前記設備設計データを前記希望プラン及び前記建築プラン情報と関連付けて前記設備設計情報記憶手段に記憶させる建築プラン処理手段と、
構造設計データを記憶する構造設計情報記憶手段とを備え、
前記建築プラン処理手段は、さらに少なくとも前記希望プラン情報、前記建築プラン情報を構造家の端末に対して送信するとともに、当該構造家の端末から送信された構造設計データを受信し、受信した前記構造設計データを前記希望プラン及び前記建築プランと関連付けて前記構造設計情報記憶手段に記憶させることを特徴とする建築システム。
このような構成により、希望プラン及び建築プランのみならずこれらを作成した、クライアント及び建築家とは独立した設備家が設備設計を行い、これらの情報を互いに関連付けて記憶しているので、より最適な建築を実現できる。
また、希望プラン、建築プラン、設備設計データのみならずこれらを作成したクライアント、建築家及び設備家とは独立した構造家が構造設計を行い、これらの情報を互いに関連付けて記憶しているので、より最適な建築を実現できる。
【０００８】
前記建築プラン処理手段は、前記希望プラン情報、前記建築プラン情報、前記設備設計データ、及び前記構造設計データを施工家の端末に対して送信するとともに、当該施工家の端末から送信された建築プラン情報に関するアドバイス情報を、さらに前記建築家の端末に対して送信することを特徴とする請求項１記載の建築システム。
このような構成により、建築家がアドバイス情報に基づいて建築プラン情報を修正することができるので、より最適な建築を実現できる。
【０００９】
前記建築プラン処理手段は、前記建築プラン情報、前記設備設計データ、及び前記構造設計データを施工家の端末に対して送信するとともに、当該施工家の端末から送信された設備設計データに関するアドバイス情報を、さらに前記設備家の端末に対して送信することを特徴とする請求項２記載の建築システム。
このような構成により、設備家がアドバイス情報に基づいて設備設計データを修正することができるので、より最適な建築を実現できる。
【００１０】
前記建築プラン処理手段は、前記建築プラン情報、前記設備設計データ、及び前記構造設計データを施工家の端末に対して送信するとともに、当該施工家の端末から送信された構造設計データに関するアドバイス情報を、さらに前記構造家の端末に対して送信することを特徴とする請求項２又は３に記載の建築システム。
このような構成により、構造家がアドバイス情報に基づいて構造設計データを修正することができるので、より最適な建築を実現できる。
【００１１】
前記建築プラン記憶手段は、前記設備設計データ、前記構造設計データ、若しくは前記アドバイス情報に応じて順次修正された当該建築プラン情報をさらに記憶するとともに、
前記建築プラン記憶手段に記憶された建築プラン情報にアクセスするための建築プランアクセス情報を含む、当該建築プラン情報に関する修正履歴情報を記憶する建築プラン履歴情報記憶手段と、
前記建築プラン情報に関する修正履歴情報をクライアントの端末に送信する建築プラン履歴情報送信手段とをさらに備え、
前記建築プラン処理手段は、当該建築プランアクセス情報に基づき、クライアントの端末が当該建築プラン情報の要求を行った場合には、当該建築プラン情報をクライアントの端末に対して送信することを特徴とする請求項２乃至４いずれかに記載の建築システム。
このような構成により、クライアントは、建築プランアクセス情報によって建築プラン情報にアクセスすることにより、建築プラン情報の確認が可能である。
【００１２】
前記設備設計情報記憶手段は、前記構造設計データ、若しくは前記アドバイス情報に応じて順次修正された当該設備設計データをさらに記憶するとともに、
前記設備設計情報記憶手段に記憶された設備設計データにアクセスするための設備設計アクセス情報を含む、当該設備設計データに関する修正履歴情報を記憶する設備設計履歴情報記憶手段と、
前記設備設計データに関する修正履歴情報をクライアントの端末に送信する設備設計履歴情報送信手段とをさらに備え、
前記建築プラン処理手段は、当該設備設計アクセス情報に基づき、クライアントの端末が当該設備設計データの要求を行った場合には、当該設備設計データをクライアントの端末に対して送信することを特徴とする請求項５記載の建築システム。
このような構成により、クライアントは、設備設計アクセス情報によって設備設計データにアクセスすることにより、設備設計データの確認が可能である。
【００１３】
前記構造設計情報記憶手段は、前記アドバイス情報に応じて修正された当該構造設計データをさらに記憶するとともに、
前記構造設計情報記憶手段に記憶された構造設計データにアクセスするための構造設計アクセス情報を含む、当該構造設計データに関する修正履歴情報を記憶する構造設計履歴情報記憶手段と、
前記構造設計データに関する修正履歴情報をクライアントの端末に送信する構造設計履歴情報送信手段とをさらに備え、
前記建築プラン処理手段は、当該構造設計アクセス情報に基づき、クライアントの端末が当該構造設計データの要求を行った場合には、当該構造設計データをクライアントの端末に対して送信することを特徴とする請求項５又は６記載の建築システム。
このような構成により、クライアントは、構造設計アクセス情報によって構造設計データにアクセスすることにより、構造設計データの確認が可能である。
【００１４】
前記クライアントより建築資金に関する情報を取得する手段と、
前記クライアントより取得した建築資金情報を複数の金融機関に提示する手段と、
複数の金融機関より取得した資金プラン情報を前記クライアントに対して通信網を介して提示する手段と、
当該クライアントから送信された前記資金プラン情報の選択情報を受信する手段とを備えた請求項１乃至７いずれかに記載の建築システム。
このような構成により、クライアントは好適な資金プランを実現することができる。
【００１５】
【発明の実施の形態】
従来は、クライアントとの間に住宅会社等の仲介人が加わる場合はあるものの、基本的に住宅の設計は建築家が行い、住宅の施工は工務店が行っていた。
【００１６】
本発明は、このようなスキームによって生ずる上述の問題を解決するために設備家、構造家、施工家という従来にはない新規な専門家を起用し、さらにネットワーク及びコンピュータ技術を有効に活用し、最適な建築を実現するための処理を行うようシステム構築している。
【００１７】
なお、下記の例については各専門家はＰＣ等の端末により情報のやり取りをしているが、データ通信が可能な携帯電話を活用することも可能である。
【００１８】
以下、本発明の実施の形態を図１〜図１１に基づいて説明する。
発明の実施の形態１．
図１は、本実施の形態１における建築システムの構成を示している。この建築システムはサーバ１、データベース２、建築家の端末３ａ、３ｂ、３ｃ、設備家の端末４、構造家の端末５、施工家の端末６、プロデューサの端末７、工務店の端末８ａ、８ｂ、８ｃ、金融機関の端末９ａ、９ｂ、９ｃ、クライアントの端末１０から構成されている。サーバ１は、制御部１１、ウェブエンジン１２、クライアント登録処理部１３、建築プラン処理部１４、建築家処理部１５、工務店処理部１６、金融機関処理部１７を備えている。
【００１９】
サーバ１は、サーバ、コンピュータ等であって、本システムの主体的な動作を行うものである。サーバ１は、情報をデータベース２に記憶させ、さらに記憶させた情報を出力する機能を有する。
【００２０】
制御部１１は、中央制御装置（ＣＰＵ）、読出専用メモリ（ＲＯＭ）、ランダムアクセスメモリ（ＲＡＭ）、入出力ポート（Ｉ／Ｏ）等を備えており、クライアント登録処理部１３等の各処理部を実行するためのコンピュータープログラムに基づいて動作する機能を有する。
【００２１】
ウェブエンジン１２は、建築家の端末３ａ、３ｂ、３ｃ、設備家の端末４、構造家の端末５、施工家の端末６、プロデューサの端末７、工務店の端末８ａ、８ｂ、８ｃ、金融機関の端末９ａ、９ｂ、９ｃ、クライアントの端末１０等にウェブページ情報等のウェブデータを生成し送信する機能を有する。
【００２２】
クライアント登録処理部１３は、クライアントの端末１０から建築の依頼がされた際に、後述するクライアント登録情報の入力画面のウェブデータ等をクライアントの端末１０に対して送信する機能等を有する。また、クライアントの端末１０からのクライアント登録情報を受信した場合には、クライアント情報記憶部２１に格納する機能をも有する。
【００２３】
建築プラン処理部１４は、希望プラン、建築プラン、設備設計データ、構造設計データ等を選択的に、クライアント情報記憶部２１、建築プラン記憶部２２、設備設計情報記憶部２３、若しくは構造設計情報記憶部２４から出力して建築家の端末３ａ、３ｂ、３ｃ、設備家の端末４、構造家の端末５、施工家の端末６、プロデューサの端末７、工務店の端末８ａ、８ｂ、８ｃ、金融機関の端末９ａ、９ｂ、９ｃ、若しくはクライアントの端末１０に対して送信する機能を有する。また、建築プラン処理部１４は、建築家の端末３ａ、３ｂ、３ｃに対しては希望プランの情報を、建築プランの情報を入力するためのウェブデータとともに送信し、設備家の端末４に対しては希望プラン及び建築プランの情報を、設備設計データを入力するためのウェブデータとともに送信し、構造家の端末５に対しては希望プランの情報、建築プランの情報及び設備設計データを、構造設計データを入力するためのウェブデータとともに送信し、さらに施工家の端末６に対しては希望プランの情報、建築プランの情報、設備設計データ、及び構造設計データを送信する機能をも有する。
【００２４】
建築家処理部１５は、建築プランの作成を依頼する複数の建築家の登録情報を、建築家情報記憶部２５から出力してクライアントの端末１０に送信する機能を有する。また、建築家が本システムのサイトにアクセスした際に、建築家の登録情報を入力するためのウェブデータを建築家の端末３ａ，３ｂ，３ｃに送信する機能を有する。
【００２５】
工務店処理部１６は、建築を依頼する複数の工務店の登録情報を、工務店情報記憶部２６から出力して、施工家の端末６、若しくはクライアントの端末１０等に送信する機能を有する。また、工務店の担当者が本システムのサイトにアクセスした際に、工務店の登録情報を入力するためのウェブデータを工務店の端末８に送信する機能を有する。
【００２６】
金融機関処理部１７は、クライアントの建築資金に関する情報をクライアント情報記憶部２１から出力し、複数の金融機関の端末９に送信する機能を有する。また、金融機関の担当者が本システムのサイトにアクセスした際に、金融機関の登録情報を入力するためのウェブデータを金融機関の端末９に送信する機能を有する。
【００２７】
またデータベース２は、クライアント情報記憶部２１、建築プラン記憶部２２、設備設計情報記憶部２３、構造設計情報記憶部２４、建築家情報記憶部２５、工務店情報記憶部２６、金融機関情報記憶部２７を備えている。
【００２８】
クライアント情報記憶部２１には、クライアント登録処理部１３によって取得されたクライアント登録情報が格納されている。このクライアント登録情報は例えば、クライアントの氏名、住所、電話番号、電子メールアドレス、勤務先、年収、家族構成、年齢、自己資金の金額、借入れ希望金額、クライアントＩＤ等、および建築依頼情報を含むものである。建築依頼情報には建築場所情報、敷地面積、敷地形状等が含まれている。ここでクライアントＩＤは、クライアントの登録の際にシステム側が割り振るクライアントの識別情報であって、例えば英数文字により表されるものである。
【００２９】
建築プラン記憶部２２には、建築プランの情報、及び建築プランの履歴情報が格納されている。建築プランの履歴情報は、例えば図１０に示すような修正又は更新される毎に各々蓄積される履歴情報のウェブデータであって、この履歴情報は、建築プランの入力日時、建築プランを修正又は更新した回数等に関するバージョン情報、及び建築プランの情報のファイル名を表示する欄が設けられて構成されている。ここで、ファイル名は、その建築プランの情報にアクセスするためのアクセス情報の一部を構成する。例えば、「ｈｔｔｐ：／／ｗｗｗ．ａｂｃｄｅ．ｃｏｍ／ｋｅｎｃｈｉｋｕ０１．ｈｔｍ／」というＵＲＬ情報の一部を構成する。
【００３０】
設備設計情報記憶部２３には、設備設計データの情報、及び設備設計データの履歴情報が格納されている。設備設計データの履歴情報は、例えば図１０に示す建築プランの履歴情報と同様の構成を有し、修正又は更新される毎に各々蓄積される。
【００３１】
設備設計情報記憶部２４には、構造設計データの情報、及び構造設計データの履歴情報が格納されている。構造設計データの履歴情報は、例えば図１０に示す建築プランの履歴情報と同様の構成を有し、修正又は更新される毎に各々蓄積される。
【００３２】
建築家情報記憶部２５には、建築家処理部１５によって取得された建築家登録情報が格納されている。この建築家登録情報は例えば、建築家の氏名、電話番号、電子メールアドレス、過去に設計した建築物、得意分野、建築家ＩＤ等を含むものである。ここで建築家ＩＤは、建築家の登録の際にシステム側が割り振る建築家の識別情報である。
【００３３】
工務店情報記憶部２６には、工務店処理部１６によって取得された工務店の登録情報が格納されている。この工務店登録情報は例えば、工務店の会社名、電話番号、電子メールアドレス、担当者、会社規模、工務店ＩＤ等を含むものである。ここで工務店ＩＤは、工務店の登録の際にシステム側が割り振る工務店の識別情報である。
【００３４】
金融機関情報記憶部２７には、金融機関処理部１７によって取得された金融機関の登録情報が格納されている。この金融機関登録情報は例えば、金融機関の会社名、電話番号、電子メールアドレス、担当者、会社規模、金融機関ＩＤ等を含むものである。ここで金融機関ＩＤは、金融機関の登録の際にシステム側が割り振る金融機関の識別情報である。
【００３５】
建築家の端末３ａ、３ｂ、３ｃは、複数の建築家の各々が所有するものであって、パーソナルコンピュータ（ＰＣ）等の端末でありＣＰＵ，ＲＯＭ，ＲＡＭ、ハードディスク、ディスプレイ、キーボード、マウス等を備えている。この建築家の端末３ａ、３ｂ、３ｃは、例えば携帯端末等のコンピュータ、インターネット接続器機能付き携帯電話等であっても良い。ハードディスクには、ブラウザプログラムが格納されている。ブラウザプログラムは、通信網３０を介してサーバ１から送信されたＨＴＭＬデータ、ＸＭＬデータ等のウェブデータを受信しディスプレイに表示させるデータに変換することが可能である。さらに、建築家の端末３ａ、３ｂ、３ｃのハードディスクには、図面作成のためのソフトウェア等が格納されていても良い。
【００３６】
また、建築家の端末３ａ、３ｂ、３ｃは、通信網３０を介してサーバ１から送信された希望プランを受信することが可能である。また建築家の端末３ａ、３ｂ、３ｃは、建築プランをサーバ１に送信することが可能である。ここで建築家は、希望プランに基づいて建築プランを作成する者である。建築プランには、具体的な建築物の設計、建蔽率、容積率、床面積、階構成、工法、外部仕上げの程度、内部仕上げの程度等が含まれる。
【００３７】
設備家の端末４は、建築家の端末３ａ、３ｂ、３ｃと同様の構成であって、通信網３０を介してサーバ１から送信された希望プランおよび建築プランを受信することが可能である。また設備家の端末４は、設備設計データをサーバ１に送信することが可能である。ここで設備家とは、電気設備、給排水衛生設備、空気調和設備等の設計を行う者である。設備家は、希望プラン、及び建築プランに基づいて、電気設備に関しては電気容量計算、ランニングコスト算定、ランニングコスト節約案作成、照明の設計等を行う。また、設備家は、給排水設備に関しては給水及び給湯量の計算、水圧の検証、排水の計算、管径の検証、ランニングコスト算定、ランニングコスト節約案、防露の検証及びその対策、配管経路のデザイン設計等を行う。さらに設備家は、空気調和設備に関しては換気計算に基づく使用説明、給排気バランスの計算、冷暖房の容量計算と機器選定、床暖房等の効果シミュレーション、ランニングコスト算定、ランニングコスト節約案作成等を行う。すなわち、この設備家が電気設備、給排水衛生設備、および空気調和設備等の設計を行うことにより、クライアントの要求に応じた機能性等を備えた適切な設備設計を実現することが可能であり、この設備設計によってより最適な建築プランを実現することが可能である。
【００３８】
構造家の端末５は、建築家の端末３ａ、３ｂ、３ｃと同様の構成であって、通信網３０を介してサーバ１から送信された希望プラン、建築プラン、および設備設計データを受信することが可能である。また構造家の端末５は、構造設計データをサーバ１に送信することが可能である。ここで構造家とは、希望プラン、建築プラン、及び設備プランにより設計された建築物を、耐久性等の観点から優れた構造を実現するための構造設計を行う者である。構造家は、希望プラン、建築プラン、及び設備プランに基づいて、耐久性等の観点から最も適した構造設計、設計上のポイントを施工に反映させる仕組みの構築、工事の進捗に鑑みた構造に関する検査等を行う。また、設計上のポイントには、地耐力に関するもの、基礎耐力に関するもの、アンカーボルト等に関するもの、資材のジョイント処理に関するもの、通り・建ていり等における精度に関するもの等が含まれる。構造に関する検査には、地盤、基盤、上棟、建て方、補強金物、ボルト、施工精度等の検査が含まれる。すなわち、この構造家が構造設計を行うことにより、クライアントの要求に応じた耐久性等を備えた適切な構造設計を実現することが可能であり、この構造設計によってより最適な建築プランを実現することが可能である。
【００３９】
施工家の端末６は、建築家の端末３ａ、３ｂ、３ｃと同様の構成であって、通信網３０を介してサーバ１から送信された希望プランの情報、建築プランの情報、及び設備設計データ、構造設計データを受信することが可能である。ここで施工家とは、建築物のデザイン、機能性、耐久性等のバランスの観点から希望プラン、建築プラン、設備設計データ、及び構造設計データの全体チェックを行う者である。施工家は、これらの希望プラン、建築プラン、設備設計データ、及び構造設計データに基づいて、各々のチェック、各々の問題点の提起、工事予算の構成バランスの検証、発注のサポート、発注工務店の選定のアドバイス、工務店の担当者の教育、工事全般の監理、クライアントとの打ち合わせ、監理報告書の作成、建築物の各部位のメンテナンスの方法の提案等を行う。ここで、建築物の各部位のメンテナンスには、屋根、外壁、止水処理部、防蟻処理、防腐処理、腐食処理、建築物の傷の処理、建築物の欠損処理等が含まれる。すなわち、この施工家が全体チェックを行うことにより、クライアントの要求に応じたデザイン、機能性、耐久性等のバランスを備えた適切な建築プランを実現することが可能である。
【００４０】
プロデューサの端末７は、建築家の端末３ａ，３ｂ，３ｃと同様の構成を有し、通信網３０を介さずにサーバ１に接続されている。
【００４１】
工務店の端末８ａ、８ｂ、８ｃ、金融機関の端末９ａ、９ｂ、９ｃは、複数の工務店若しくは金融機関の各々が所有するものであって、建築家の端末３と同様の構成を有し、通信網３０を介してサーバ１に接続されている。クライアントの端末１０は、建築家の端末３ａ、３ｂ、３ｃと同様の構成を有し、通信網３０を介してサーバ１に接続されている。通信網３０は、インターネット、公衆網、専用線等の通信網である。
【００４２】
次に図２のフローチャートを用いて、本発明にかかる建築システムの処理フローについて説明する。まず、クライアント登録を実行する（Ｓ１０１）。具体的には、クライアントは登録するために端末１０を用いて本システムにかかるサイトのＵＲＬを入力してこのサイトにアクセスする。サーバ１は、ウェブエンジン１２によって登録情報の入力画面データを通信網３０を介してクライアントの端末１０に送信する。クライアントの端末１０は、この登録情報入力画面を受信すると、ディスプレイに表示する。クライアントは、登録情報を入力してクライアントの端末１０によりサーバ１に送信する。サーバ１は、クライアントの登録情報を受信するとクライアント登録処理部１３により、この登録情報にクライアントＩＤを付けてクライアント登録記憶部２１に格納する。また、サーバ１は、クライアント登録処理部１３により、クライアントＩＤを通知するメールをクライアントの端末１０に送信する。
【００４３】
サーバ１は、金融機関処理部１７により、融資金額、ローンの返済方法等を決定する資金プランを複数作成する処理を実行し、また、この処理によりクライアントは、資金プランを決定する（Ｓ１０２）。
【００４４】
次に、建築家の選択を行う（Ｓ１０３）。具体的には、サーバ１は、建築家処理部１５により、建築家情報記憶部２５から複数の建築家の登録情報を引き出し、建築家を選択すべき旨とともにクライアントの端末１０に送信する。この建築家の登録情報は、例えば、建築家の顔写真、作品写真等のデータが含まれていても良い。
【００４５】
クライアントの端末１０は、複数の建築家の登録情報を受信すると、ディスプレイに表示する。クライアントは、各々の建築家を確認し、好適な建築家を選択して、その旨をサーバ１に送信する。ここでは、例えば端末３ａを所有する建築家が選択されたものとする。この建築家の選択は、例えば複数の建築家が表示されたウェブデータがクライアントの端末１０に送信され、クライアントが、端末１０のディスプレイに表示された各々の建築家のうち、好適な建築家の表示欄をクリックすると、クライアントの端末１０によりその建築家を選択した旨が自動的に送信されるようにすることもできる。
【００４６】
サーバ１は、建築家を選択した旨を受信すると、クライアント登録処理部１３により、その建築家の建築家ＩＤを建築家情報記憶部２５から引き出し、この建築家ＩＤをクライアントの登録情報に関連付けてクライアント情報記憶部２１に格納する。
【００４７】
サーバ１は、建築プラン処理部１４により、例えば図７、９、１０に示すような建築物の希望プランの入力するためのウェブデータをクライアントの端末１０に送信する。図７、９、１０には、所定の箇所に文字入力ボックスが設けられている。この文字入力ボックスは、クライアントが依頼する建築物におけるクライアントからの希望内容を入力するためのものである。文字入力ボックスには、クライアントがキーボード等の入力手段を用いて情報を入力することになるが、文字入力ボックスの右側に下矢印が表示されている場合には、その矢印をクリックすると、その文字入力ボックスに入力するための情報が複数羅列され、いずれかの情報をクリックすることにより特定の情報を入力することができる。
【００４８】
クライアントの端末１０は、希望プランを入力するためのウェブデータを受信すると、まず、図７に示す希望プランの入力画面をディスプレイに表示する。クライアントは、建築物の設計を依頼するその内容の希望プランを、入力欄に従って入力し、入力が終了すると「次へ」と表示されたボタンをクリックする。
【００４９】
クライアントの端末１０は、続いて図８に示す希望プランの入力画面をディスプレイに表示する。クライアントは、入力欄に従って入力し、入力が終了すると「次へ」と表示されたボタンをクリックする。
【００５０】
クライアントの端末１０は、さらに図９に示す希望プランの入力画面をディスプレイに表示する。クライアントは、入力欄に従って入力し、入力が終了すると「入力完了」と表示されたボタンをクリックする。すると、クライアントの端末１０は、この入力が完了した希望プランの情報をサーバ１に送信する。
【００５１】
サーバ１は、希望プランの情報を受信すると、建築プラン処理部１４により、希望プランの情報とクライアントの登録情報とを関連付けてクライアント情報記憶部２１に格納する（Ｓ１０４）。
【００５２】
サーバ１は、建築プラン処理部１４により、建築プランを作成する処理を実行する（Ｓ１０５）。この処理については後に詳述する。
【００５３】
サーバ１は、建築プラン処理部１４により、設備設計を行う処理を実行する（Ｓ１０６）。この処理については後に詳述する。
【００５４】
サーバ１は、建築プラン処理部１４により、構造設計を行う処理を実行する（Ｓ１０７）。この処理については後に詳述する。
【００５５】
次に、施工家による全体チェックを行う（Ｓ１０８）。そのためにサーバ１は、建築プラン処理部１４により、希望プランの情報、建築プランの情報、設備設計データ、及び構造設計データを施工家の端末６に送信する。
【００５６】
施工家の端末７は、希望プランの情報、建築プランの情報、設備設計データ、及び構造設計データを受信すると、ディスプレイに表示する。施工家は、希望プランの情報、建築プランの情報、設備設計データ、及び構造設計データを確認し、全体チェックを行う。この全体チェックには、これらの希望プラン、建築プラン、設備設計データ、及び構造設計データに基づいて、チェック、問題点の提起、工事予算の構成バランスの検証、発注のサポート、発注工務店の選定のアドバイス、建築物の各部位のメンテナンスの方法の提案等が含まれる。ここで、建築物の各部位のメンテナンスには、屋根、外壁、止水処理部、防蟻処理、防腐処理、腐食処理、建築物の傷の処理、建築物の欠損処理等が含まれる。施工家が希望プラン、建築プラン、設備設計データ、及び構造設計データのチェックを行うことにより、クライアントの要求に応じたデザイン、機能性、耐久性等のバランスを備えた適切な最終建築プランを実現することが可能である。
【００５７】
ここで、施工家により例えば建築プランに対してアドバイス、又は問題点等が提起された場合は、施工家は、建築プランに対するアドバイス、又は問題点等の内容の情報をサーバ１に送信する。サーバ１は建築プランに対するアドバイス、又は間題点等の内容の情報を受信すると、建築プラン処理部１４により、さらに建築家の端末３ａに送信する。建築家は、建築プランに対するアドバイス、問題点等の内容の情報を受信すると、この情報に基づいて建築プランを修正し、その修正した内容の情報をサーバ１に送信する。サーバ１は、その修正した情報を受信すると建築プラン処理部１４により、建築プラン記憶部２２に格納する。そして、建築プランの履歴情報を更新し、修正した情報の作成日時、バージョン情報、ファイル名等の情報を加えて、建築プラン記憶部２２に格納する。
【００５８】
さらにサーバ１は、建築プラン処理部１４により、建築プランが修正された旨を電子メール等によってクライアントの端末１０に送信する。クライアントの端末１０は、電子メールを受信すると、ディスプレイに表示する。クライアントは、この電子メールを確認することにより、建築プランが修正されたことを知ることができる。また、ここで、クライアントが端末１０等により、本システムのサイトヘアクセスし、さらにクライアントＩＤを入力して、スケジュールの情報にアクセスする。すると図１１に示すスケジュールの表示画面がクライアントの端末１０のディスプレイに表示される。このスケジュールの表示画面は、スケジュールの進捗状況を示す欄と、この欄の所定の箇所に希望プラン、建築プラン、設備設計、構造設計、最終建築プランのボタンが設けられている。クライアントは、このスケジュールの表示画面を確認することにより、全体スケジュールの進捗状況が全体チェックのステップまで進行したことを確認できる。
【００５９】
そして、クライアントが建築プランのボタンをクリックすると、図１０に示す建築プランの履歴情報がクライアントの端末１０のディスプレイに表示される。クライアントが建築プランのファイル名をクリックすることにより、建築プランの内容をディスプレイに表示させることが可能である。クライアントは、この建築プランの内容を確認し、電子メール等により修正を要求し、または意見をすることができるとしても良い。施工家により、設備設計データ、若しくは構造設計データに対してアドバイス、又は問題点等が提起された場合においても、同様の処理を実行する。
【００６０】
施工家は、全体チェックが終了すると、端末６により希望プラン、建築プラン、設備設計データ、及び構造設計データが全て作成された旨をサーバ１に送信する。
【００６１】
サーバ１は、希望プラン、建築プラン、設備設計データ、及び構造設計データが全て作成された旨を受信すると、建築プラン処理部１４により、さらに希望プラン、建築プラン、設備設計データ、構造設計データが全て作成された旨をメール等によりプロデューサの端末７に送信する。
【００６２】
プロデューサの端末７は、希望プラン、建築プラン、設備設計データ、構造設計データが全て作成された旨をディスプレイに表示する。プロデューサは、希望プラン、建築プラン、設備設計データ、構造設計データが全て作成されたことを確認すると、クライアント、建築家、設備家、構造家、施工家等を集めて打ち合わせを行い、クライアントの確認等を得て希望プラン、建築プラン、設備設計データ、構造設計データを総合した最終建築プランを作成する（Ｓ１０９）。
【００６３】
最終建築プランが作成されると、サーバ１は、工務店処理部１６により、工務店情報記憶部２６から複数の工務店の登録情報を引き出し、工務店を選択すべき旨とともにクライアントの端末１０に送信する。この工務店の登録情報は、例えば、工務店の従業員の顔写真、氏名、経歴、作品写真等のデータが含まれていても良い。
【００６４】
クライアントの端末１０は、複数の工務店の登録情報を受信すると、ディスプレイに表示する。クライアントは、各々の工務店を確認し、好適な工務店を選択して、その旨をサーバ１に送信する（Ｓ１１０）。ここでは、例えば端末８ａを所有する工務店が選択されたものとする。この工務店の選択は、例えば複数の工務店が表示されたウェブデータがクライアントの端末１０に送信され、クライアントが、端末１０のディスプレイに表示された各々の工務店のうち、好適な工務店の表示欄をクリックすると、クライアントの端末１０によりその工務店を選択した旨が自動的に送信されるようにすることもできる。また、工務店の選択は、最終建築プラン作成のための打ち合わせの際に行われても良い。
【００６５】
サーバ１は、工務店を選択した旨を受信すると、クライアント登録処理部１３により、その工務店の工務店ＩＤを工務店情報記憶部２５から引き出し、この工務店ＩＤをクライアントの登録情報に関連付けてクライアント情報記憶部２１に格納する。そして、サーバ１は、工務店処理部１６により、工務店が選択された旨をメール等によりプロデューサの端末７に送信する。
【００６６】
プロデューサの端末７は、工務店が選択された旨を受信すると、ディスプレイに表示する。プロデューサは、これを確認するとクライアント、金融機関の担当者、工務店の担当者等を集めて正式な契約が実行される（Ｓ１１１）。
【００６７】
契約内容に従って、建築・施工が実行される（Ｓ１１２）。このとき、施工の過程は、プロデューサや工務店の担当者により逐一デジタルカメラ等によって撮影され、電子メール等によりその撮影情報がサーバ１に送信される。この撮影情報は、クライアント登録処理部１３により、クライアント情報記憶部２１に格納される。そして、クライアントは、本システムのサイトにアクセスし、クライアントＩＤを入力してログインすることによって、ウェブページ上でこの撮影情報を閲覧することができる。これによりクライアントは、建築状況を建築現場に行かずに確認することができる。また、施工家は、工務店の従業員や担当者を場合によっては教育等を行いながら工事全般の監理を行い、監理報告書を作成する。この施工家の監理により適切に工事を行っていくことができる。
【００６８】
施工家及び設備家は、施工の途中、若しくは施工終了後に建築の検査を行い、不具合等があれば追加、修正工事が行われる（Ｓ１１３）。検査は、例えば上棟、竣工時等に実行される。施工家及び設備家は、検査の結果を自已の端末６、４に入力し、サーバ１に登録する。サーバ１は、登録された検査結果を工務店の端末８ａに送信する。このとき、さらにクライアントの端末１０に送信することとしても良い。これにより、工務店の施工を厳しくチェックすることができ、信用が高められる。
また、施工家及び設備家の検査が合格するまでは、建築物の引渡しステップ（Ｓ１１４）に移行できないようにしても良い。
【００６９】
検査終了後、建築物の引渡しが行われる（Ｓ１１４）。この建築システムでは、建築物の引渡し後のメンテナンスについても所定の処理を実行する。具体的には、例えばこの建築システムに係るウェブページ上に建築物に不具合が生じた場合の対処方法について掲載する。
【００７０】
次に、図３に示すフローチャートを用いて資金プラン決定ステップ（Ｓ１０２）について詳細に説明する。このステップは、図２におけるクライアント登録ステップ（Ｓ１０１）の後に実行される。まずサーバ１は、金融機関処理部１７により、クライアント登録情報のうち、クライアントのプライバシーに関係すると考えられる情報（例えばクライアントの氏名、住所等を除いたものである。以下「建築資金情報」とする。）、および資金プランを入力するためのウェブデータを、クライアント情報記憶部から引き出し複数の金融機関の各々の端末９ａ，９ｂ，９ｃに送信する（Ｓ２０１）。
【００７１】
各々の金融機関の端末９ａ、９ｂ、９ｃは、建築資金情報および資金プランを入力するためのウェブデータを受信するとディスプレイに表示する（Ｓ２０２）。金融機関の担当者は、この建築資金情報に基づいて、融資可能額や、ローンの金利、返済方法、返済期間、ボーナス時の返済可能額、返済期間、担保、保証人の要否等を決定し、各々の資金プランを作成すると、金融機関の端末９ａ、９ｂ、９ｃにより資金プランの情報を入力し、サーバ１に送信する（Ｓ２０３）。このとき、クライアント登録情報や、金融機関の融資の決定条件に基づいて、自動的に資金プランを決定し、その資金プランの情報をサーバ１に送信するソフトウェア等が金融機関の端末９のハードディスク等に格納されていても良い。
【００７２】
サーバ１は、各々の資金プランの情報を受信すると（Ｓ２０４）、さらにクライアントの端末１０に、資金プランを選択すべき旨とともに送信する（Ｓ２０５）。
【００７３】
クライアントの端末１０は、資金プランの情報を受信するとディスプレイに表示する（Ｓ２０６）。クライアントは、各々の資金プランを確認し最適なものを選択して、その旨をサーバ１に送信する（Ｓ２０７）。ここでは、例えば端末９ａを所有する金融機関が選択されたものとする。この資金プランの選択は、例えば各々の資金プランが表示されたウェブデータがクライアントの端末１０に送信され、クライアントが、端末１０のディスプレイに表示された各々の資金プランのうち、最適な資金プランの表示欄をクリックすると、クライアントの端末１０によりその資金プランを選択した旨が自動的に送信される。クライアントは、この資金プランの選択により、自己の経済状況や資金計画に対応した最適な資金プランを実現することができる。
【００７４】
サーバ１は、最適な資金プランを選択した旨を受信すると、金融機関処理部１７によりこの資金プランの情報をクライアントの登録情報に関連付けてクライアント情報記憶部２１に格納する（Ｓ２０８）。そして、サーバ１は、さらにこの資金プランの情報を、作成したその金融機関の端末９ａに送信する（Ｓ２０９）。
【００７５】
金融機関の端末９ａは、資金プランの情報を受信するとディスプレイに表示する（Ｓ２１０）。金融機関の担当者は、この資金プランに基づいて正式契約の書類を作成する。
【００７６】
次に、図４に示すフローチャートを用いて建築プラン作成ステップ（Ｓ１０５）について詳細に説明する。このステップは、図２における希望プラン作成ステップ（Ｓ１０４）の後に実行される。まずサーバ１が希望プランを受信すると、建築プラン処理部１４により、この希望プランとクライアントの登録情報とを関連付けてクライアント情報記憶部２１に格納する（Ｓ３０１）。すると、サーバ１は、建築プラン処理部１４により、クライアント情報記憶部２１を検索し、希望プランに含まれるクライアントＩＤの情報からクライアントの登録情報を引き出し、また、このクライアントの登録情報に関連付けられた建築家ＩＤを引き出して、さらに、建築家情報記憶部２５からこの建築家ＩＤに関連付けられた建築家に関する情報を引き出す。そして、サーバ１は、建築プラン処理部１４により、この建築家に関する情報に含まれる建築家の電子メールアドレス等に従って、希望プランの情報を建築家の端末３ａに送信する（Ｓ３０２）。
【００７７】
建築家の端末３ａは、希望プランの情報を受信すると（Ｓ３０３）、ディスプレイに表示する。建築家は、この希望プランに基づいて、建築プランを作成する（Ｓ３０４）。この建築プランの作成は、例えば希望プランの内容に含まれる敷地面積、階構成、部屋数、建築物の形状等の情報に従って作成される。建築プランは、例えば端末３ａのディスプレイに希望プランの内容が表示され、さらにこの希望プランの内容に基づいて建築プランを入力するための入力画面が表示されるウェブページ上において行われる。
【００７８】
建築家は、建築プランの作成が終了すると、端末３ａにより、この建築プランの情報をサーバ１に送信する（Ｓ３０５）。
【００７９】
サーバ１は、建築プランの情報を受信すると、建築プラン処理部１４により建築プラン記憶部２２に格納する（Ｓ３０６）。
【００８０】
また、サーバ１は、建築プラン処理部１４により、図１０に示すような建築プランの履歴情報を、建築プラン記憶部２２から引き出して更新し建築プランの作成日時、バージョン情報、ファイル名等の情報を加えて、建築プラン記憶部２２に格納する（Ｓ３０７）。
【００８１】
さらに、サーバ１は、建築プラン処理部１４により、建築プランが作成された旨を電子メール等によってクライアントの端末１０に送信する（Ｓ３０８）。
【００８２】
クライアントの端末１０は、電子メールを受信すると、ディスプレイに表示する（Ｓ３０９）。クライアントは、この電子メールを確認することにより、建築プランが作成されたことを知ることができる。また、ここで、クライアントが端末１０等により、本システムのサイトヘアクセスし、さらにクライアントＩＤを入力して、スケジュールの情報にアクセスすることができる。すると図１１に示すスケジュールの表示画面がクライアントの端末１０のディスプレイに表示される。クライアントは、このスケジュールの表示画面を確認することにより、全体スケジュールの進捗状況が建築プラン作成ステップまで進行したことを確認可能である。
【００８３】
そして、クライアントが建築プランのボタンをクリックすると、図１０に示すような建築プランの履歴情報がクライアントの端末１０のディスプレイに表示される。クライアントが建築プランのファイル名をクリックすることにより、建築プランの内容をディスプレイに表示させることが可能である。クライアントは、この建築プランの内容を確認し、電子メール等により修正を要求し、または意見をすることができるとしても良い。
【００８４】
次に、図５に示すフローチャートを用いて設備家による設備設計ステップ（Ｓ１０６）について詳細に説明する。このステップは、図２における建築プラン作成ステップ（Ｓ１０５）の後に実行される。まずサーバ１は、建築プラン処理部１４により、クライアント情報記憶部２１、及び建築プラン記憶部２２から希望プランの情報、及び建築プランの情報を引き出し設備家の端末４に送信する（Ｓ４０１）。
【００８５】
設備家の端末４は、希望プランの情報、及び建築プランの情報を受信すると（Ｓ４０２）、ディスプレイに表示する。設備家は、この希望プラン、及び建築プランに基づいて、設備設計を行う（Ｓ４０３）。この設備設計は、例えば希望プラン、建築プランの内容に含まれるデザイン、敷地面積、階構成、部屋数、建築物の形状等の情報に従って、電気設備、給排水衛生設備、空気調和設備等の設計を行う。電気設備に関しては電気容量計算、ランニングコスト算定、ランニングコスト節約案作成、照明の設計等を行い、給排水設備に関しては給水及び給湯量の計算、水圧の検証、排水の計算、管径の検証、ランニングコスト算定、ランニングコスト節約案、防露の検証及びその対策、配管経路のデザイン設計等を行い、空気調和設備に関しては換気計算に基づく使用説明、給排気バランスの計算、冷暖房の容量計算と機器選定、床暖房等の効果シミュレーション、ランニングコスト算定、ランニングコスト節約案作成等を行う。設備設計は、例えば端末４のディスプレイに希望プラン、建築プランの内容が表示され、さらに、そのまま画面上でこの建築プランの内容に設備設計データを加えるための入力画面が表示されるウェブページ上において行われる。
【００８６】
設備家は、設備設計が終了すると、端末４により、この設備設計データをサーバ１に送信する（Ｓ４０４）。
【００８７】
サーバ１は、設備設計データを受信すると、建築プラン処理部１４により設備設計情報記憶部２３に格納する（Ｓ４０５）。
【００８８】
また、サーバ１は、建築プラン処理部１４により、例えば図１０に示す建築プランの履歴情報と同様の設備設計データの履歴情報を、設備設計情報記憶部２３から引き出して更新し建築設備データの作成日時、バージョン情報、ファイル名等の情報を加えて、設備設計情報記憶部２３に格納する（Ｓ４０６）。この設備設計データの履歴情報は、例えば設備設計データの入力日時、設備設計データの更新した回数等に関するバージョン情報、及び設備設計データのファイル名を表示する欄が設けられて構成されている。
【００８９】
さらにサーバ１は、建築プラン処理部１４により、クライアント情報記憶部２１を検索し、設備設計データに含まれるクライアントＩＤの情報からクライアントの登録情報を引き出し、また、このクライアントの登録情報に関連付けられた建築家ＩＤを引き出して、さらに、建築家情報記憶部２５からこの建築家ＩＤに関連付けられた建築家に関する情報を引き出す。そして、サーバ１は、建築プラン処理部１４により、この建築家の登録情報に含まれる建築家の電子メールアドレス等に従って、設備設計データを建築家の端末３ａに送信する（Ｓ４０７）。
【００９０】
建築家の端末３ａは、設備設計データを受信すると（Ｓ４０８）、ディスプレイに表示する。建築家は、この設備設計データを確認し、設備設計データの内容に従って建築プランに修正点があれば修正を行う。（Ｓ４１０）。
【００９１】
建築家は、建築プランの修正が終了すると、端末３ａにより、この建築プランの情報をサーバ１に送信する（Ｓ４１１）。
【００９２】
サーバ１は、建築プランの情報を受信すると、建築プラン処理部１４により建築プラン記憶部２２に格納する（Ｓ４１２）。
【００９３】
また、サーバ１は、建築プラン処理部１４により、図１０に示す建築プランの履歴情報を、建築プラン記憶部２２から引き出して更新し修正した建築プランの作成日時、バージョン情報、ファイル名等を加えて、建築プラン記憶部２２に格納する（Ｓ４１３）。
【００９４】
この後さらに、サーバ１は、Ｓ３０８〜Ｓ３０９の処理と同様にして建築プラン処理部１４により、設備設計データが作成された旨をメール等によってクライアントの端末１０に送信する。
【００９５】
クライアントの端末１０は、メールを受信すると、ディスプレイに表示する。クライアントは、このメールを確認することにより、設備設計データが作成されたことを知ることができる。また、ここで、クライアントが端末１０等により、本システムのサイトヘアクセスし、さらにクライアントＩＤを入力して、スケジユールの情報にアクセスすることができる。すると図１１に示すスケジュールの表示画面がクライアントの端末１０のディスプレイに表示される。クライアントは、このスケジュールの表示画面を確認することにより、全体スケジュールの進捗状況が設備設計ステップまで進行したことを確認可能である。
【００９６】
そして、クライアントが設備設計のボタンをクリックすると、図１０に示すものと同様の設備設計データの履歴情報がクライアントの端末１０のディスプレイに表示される。クライアントが設備設計データのファイル名をクリックすることにより、設備設計データの内容をディスプレイに表示させることが可能である。クライアントは、同様の工程により、修正された建築プランを確認することも可能である。クライアントは、この設備設計データの内容を確認し、メール等により修正を要求し、または意見をすることができるとしても良い。
【００９７】
次に、図６に示すフローチャートを用いて構造家による構造設計ステップ（Ｓ１０７）について詳細に説明する。このステップは、図２における設備設計ステップ（Ｓ１０６）の後に実行される。まずサーバ１は、建築プラン処理部１４により、クライアント情報記憶部２１、建築プラン記憶部２２、及び設備設計情報記憶部２３から、希望プランの情報、建築プランの情報、設備設計データを引き出し構造家の端末５に送信する（Ｓ５０１）。
【００９８】
構造家の端末５は、希望プランの情報、建築プランの情報、設備設計データを受信すると（Ｓ５０２）、ディスプレイに表示する。構造家は、この希望プラン、建築プラン、及び設備設計データに基づいて、構造設計を行う（Ｓ５０３）。この構造設計は、例えば希望プラン、建築プラン、設備設計データの内容に含まれるデザイン、敷地面積、階構成、部屋数、建築物の形状、電気設備、給排水衛生設備、空気調和設備等の情報に従って、耐久性等の観点から最も適した構造設計、設計上のポイントを施工に反映させる仕組みの構築、工事の進捗に鑑みた構造に関する検査等を行う。また、設計上のポイントには、地耐力に関するもの、基礎耐力に関するもの、アンカーボルト等に関するもの、資材のジョイント処理に関するもの、通り・建ていり等における精度に関するもの等が含まれる。構造に関する検査には、地盤、基盤、上棟、建て方、補強金物、ボルト、施工精度等の検査が含まれる。構造設計は、例えば端末５のディスプレイに希望プラン、建築プラン、及び設備設計データの内容が表示され、そのまま画面上でこれらの内容に構造設計データを加えるための入力画面が表示されるウェブページ上において行われる。
【００９９】
構造家は、構造設計が終了すると、端末５により、この構造設計データをサーバ１に送信する（Ｓ５０４）。
【０１００】
サーバ１は、構造設計データを受信すると、建築プラン処理部１４により構造設計情報記憶部２４に格納する（Ｓ５０５）。
【０１０１】
また、サーバ１は、建築プラン処理部１４により、例えば図１０に示す建築プランの履歴情報と同様の構造設計データの履歴情報を、構造設計情報記憶部２４から引き出して更新し構造設計データの作成日時、バージョン情報、ファイル名等の情報を加えて、構造設計情報記憶部２４に格納する（Ｓ５０６）。この構造設計データの履歴情報は、例えば構造設計データの入力日時、構造設計データの更新した回数等に関するバージョン情報、及び設備設計データのファイル名を表示する欄が設けられて構成されている。
【０１０２】
さらにサーバ１は、建築プラン処理部１４により、クライアント情報記憶部２１を検索し、構造設計データに含まれるクライアントＩＤの情報からクライアントの登録情報を引き出し、また、このクライアントの登録情報に関連付けられた建築家ＩＤを引き出して、さらに、建築家情報記憶部２５からこの建築家ＩＤに関連付けられた建築家の登録情報を引き出す。そして、サーバ１は、建築プラン処理部１４により、この建築家の登録情報に含まれる建築家の電子メールアドレス等に従って、構造設計データを建築家の端末３ａに送信する（Ｓ５０７）。
【０１０３】
建築家の端末３ａは、構造設計データを受信すると（Ｓ５０８）、ディスプレイに表示する。建築家は、この構造設計データを確認し（Ｓ５０９）、構造設計データの内容に従って建築プランに修正点があれば修正を行う（Ｓ５１０）。
【０１０４】
建築家は、建築プランの修正が終了すると、端末３ａにより、この建築プランの情報をサーバ１に送信する（Ｓ５１１）。
【０１０５】
サーバ１は、建築プランの情報を受信すると、建築プラン処理部１４により建築プラン記憶部２２に格納する（Ｓ５１２）。
【０１０６】
また、サーバ１は、建築プラン処理部１４により、図１０に示す建築プランの履歴情報を、建築プラン記憶部２２から引き出して更新し修正した建築プランの作成日時、バージョン情報、ファイル名等を加えて、建築プラン記憶部２２に格納する（Ｓ５１３）。
【０１０７】
Ｓ５０７〜Ｓ５１３と同様の処理を行い、設備設計データを修正し、設備設計データの履歴情報を更新する。
【０１０８】
この後さらに、サーバ１は、Ｓ３０８〜Ｓ３０９の処理と同様にして建築プラン処理部１４により、構造設計データが作成された旨を電子メール等によってクライアントの端末１０に送信する。
【０１０９】
クライアントの端末１０は、電子メールを受信すると、ディスプレイに表示する。クライアントは、この電子メールを確認することにより、構造設計データが作成されたことを知ることができる。また、ここで、クライアントが端末１０等により、本システムのサイトヘアクセスし、さらにクライアントＩＤを入力して、スケジュールの情報にアクセスする。すると図１１に示すスケジュールの表示画面がクライアントの端末１０のディスプレイに表示される。クライアントは、このスケジュールの表示画面を確認することにより、全体スケジュールの進捗状況が構造設計ステップまで進行したことを確認可能である。
【０１１０】
そして、クライアントが構造設計のボタンをクリックすると、図１０に示すものと同様の構造設計データの履歴情報がクライアントの端末１０のディスプレイに表示される。クライアントが構造設計データのファイル名をクリックすることにより、構造設計データの内容をディスプレイに表示させることが可能である。クライアントは、同様の工程により、修正された建築プラン、設備設計データを確認することも可能である。クライアントは、この設備設計データの内容を確認し、電子メール等により修正を要求し、または意見をすることができるとしても良い。
【０１１１】
その他の実施の形態．
上述の実施の形態１において、設備家による設備設計（Ｓ１０６）の後に、構造家による構造設計（Ｓ１０７）が行われたが、これに限られず、構造家による構造設計（Ｓ１０７）の後に設備家による設備設計（Ｓ１０６）が行われても良く、また、これらの両方が同時に行われても良い。この場合には、Ｓ４０１において、サーバ１は、建築プラン処理部１４により、希望プラン、及び建築プランの情報を設備家の端末４、及び構造家の端末５の両方に対して、同時に送信される。
【０１１２】
クライアントの端末１０を用いた実施形態について説明したが、このクライアントの端末１０が携帯電話である場合も同様の処理を行う。
【０１１３】
また、サーバ１、建築家の端末３ａ、３ｂ、３ｃ、設備家の端末４、構造家の端末５、施工家の端末６、プロデューサの端末７、工務店の端末８ａ、８ｂ、８ｃ、金融機関の端末９ａ、９ｂ、９ｃ、クライアントの端末１０を構成するためにコンピュータにインストールされた各種のプログラムは記録媒体に格納することも可能であり、また通信媒体を介して伝達されることも可能である。この記録媒体は、例えば、フレキシブルディスク、ハードディスク、磁気ディスク、光磁気ディスク、ＣＤ−ＲＯＭ，ＤＶＤ，ＲＯＭカートリッジ、バッテリバックアップ付きＲＡＭメモリカートリッジ、フラッシュメモリカートリッジ、不揮発性ＲＡＭカートリッジ等である。また通信媒体は、電話回線等の有線通信媒体、マイクロ波回線等の無線通信媒体、光ファイバー等の光伝送媒体、またはインターネット等である。
【０１１４】
さらに、クライアントが希望プランを作成する際に、建築に関する教育が行われても良い。この場合には、まずクライアントが建築に関するテキストを閲覧することにより建築に関する知識や情報を習得する。またクライアントはバーコードリーダ等により、テキストに印刷されたバーコードを読み取ることでテキストに掲載された問題の解答や書き込み欄の内容等の教育情報をサーバ１に対して要求し、サーバ１はこの教育情報をクライアントの端末１０に送信する。教育情報を閲覧し、テキスト解答欄や書き込み欄に書き込むことで、クライアントは知識や情報を深めることができる。また、サーバ１は、教育情報の送信履歴の情報を記憶手段に格納し、全ての教育情報を送信するとクライアントの教育が終了した旨をクライアントの端末１０に送信する。
【０１１５】
本システムのローンの返済方法は、クレジットカード等によりを行うようにしても良い。この場合には、まずクライアントがクライアントの端末１０により、通信網３０を介してクレジットカード等で決済を行うウェブデータのサイトにアクセスする。そして、クライアントは、クライアントの端末１０のディスプレイに表示された決済の手続の指示に従ってクレジットカードの識別番号を入力し、クレジットカード決済等によりローンの返済を行う。尚、クレジットカード決済でなくてもデビット決済、電子マネーによる決済であっても良い。
【０１１６】
【発明の効果】
以上述べたように、本発明の建築システムは、建築家、設備家、構造家、施工家により、デザイン、設備、耐久性、全体のバランス等の観点から適切な建築プランを実現可能な建築システムを提供することができる。
【図面の簡単な説明】
【図１】発明の実施の形態１における建築システムを示す概略構成図である。
【図２】発明の実施の形態１における建築システムの全体処理フローを示すフローチャート図である。
【図３】発明の実施の形態１における建築システムの資金プラン選択ステップＳ１０２を示すフローチャート図である。
【図４】発明の実施の形態１における建築システムの建築プラン作成ステップＳ１０５を示すフローチャート図である。
【図５】発明の実施の形態１における建築システムの設備設計ステップＳ１０６を示すフローチャート図である。
【図６】発明の実施の形態１における建築システムの構造設計ステップＳ１０７を示すフローチャート図である。
【図７】発明の実施の形態１における建築システムの希望プランの入力画面を示す構成図である。
【図８】発明の実施の形態１における建築システムの希望プランの入力画面を示す構成図である。
【図９】発明の実施の形態１における建築システムの希望プランの入力画面を示す構成図である。
【図１０】発明の実施の形態１における建築システムの建築プランの履歴情報を示す構成図である。
【図１１】発明の実施の形態１における建築システムのスケジュールの進捗状況を示す図である。
【符号の説明】
１    サーバ
２    データベース
３    建築家の端末
４    設備家の端末
５    構造家の端末
６    施工家の端末
７    プロデューサの端末
８    工務店の端末
９    金融機関の端末
１０  クライアントの端末
１１  制御部
１２  ウェブエンジン
１３  クライアント登録処理部
１４  建築プラン処理部
１５  建築家処理部
１６  工務店処理部
１７  金融機関処理部
２１  クライアント情報記憶部
２２  建築プラン情報記憶部
２３  設備設計情報記憶部
２４  構造設計情報記憶部
２５  建築家情報記憶部
２６  工務店情報記憶部
２７  金融機関情報記憶部
３０  通信網
【図１】
2004246547.tif 000003
【図２】
2004246547.tif 000004
【図３】
2004246547.tif 000005
【図４】
2004246547.tif 000006
【図５】
2004246547.tif 000007
【図６】
2004246547.tif 000008
【図７】
2004246547.tif 000009
【図８】
2004246547.tif 000010
【図９】
2004246547.tif 000011
【図１０】
2004246547.tif 000012
【図１１】
2004246547.tif 000013